(57)【要約】【課題】蛍光表示装置の表示コントローラから外部に接続される他の発光手段の表示データを出力する。【解決手段】 蛍光表示装置を駆動する駆動制御回路（表示コントローラ）１０から出力された表示データは、シフトレジスタ１１，及び、ラッチ回路１２でパラレルデータとして保持される。  ゲート回路A1〜Akから出力されたデータはブランキング期間が設定され蛍光表示部１４で表示されるが、ゲート回路Ak＋１〜Anから出力された第２の表示データはセレクタ１６に供給され、他の発光源の制御データとして出力される。  第２の表示データはセレクタ１６に供給されているポート切換信号によって蛍光表示部１４と異なる輝度で出力させることができる。【選択図】図１
2008009050.tif 000002
【特許請求の範囲】
【請求項１】
真空容器内に設けられた電子源と、該電子源から放出された電子により発光する蛍光表示部と、入力データに基づいて前記蛍光表示部で所定の表示を行うための表示データを出力するための駆動制御手段を備えている蛍光表示装置において、
前記駆動制御手段には、少なくと、前記蛍光表示部に対する第１の表示データと、前記蛍光表示部に関連した他の発光手段に対する第２の表示データを保持するラッチ回路と、  該ラッチ回路の出力に対してブランキング期間を付加し、ディミング調整行うことができるゲート回路と、
前記ラッチ回路に保持されている第２の表示データと、前記ゲート回路から出力される第２の表示データを選択して出力するセレクタとを設け、
前記セレクタで選択された前記第２の表示データが前記他の発光手段に供給されるように構成されていることを特徴とする蛍光表示装置。
【請求項２】
上記他の発光手段は発光ダイオードによって構成されていることを特徴とする請求項１に記載の蛍光表示装置。
【請求項３】
上記セレクタを介して出力される上記の発光手段に対する第２の表示データは、蛍光表示部に対して独立に輝度調整が行われるように構成されていることを特徴とする請求項１、又は２に記載の蛍光表示装置。
【請求項４】
上記他の発光手段に対するデータは上記真空容器の外部出力端子から得られるようにしたことを特徴とする請求項１，２、又は３に記載の蛍光表示装置。
【請求項５】
上記他の発光手段は上記蛍光表示部のバックライトとされていることを特徴とする請求項１，２，３，又は４に記載の蛍光表示装置。
【請求項６】
上記他の発光手段は上記蛍光表示装置の真空容器内に設けられていることを特徴とする請求項１，２，３，４、又は５に記載の蛍光表示装置。
【請求項７】
真空容器内に設けられた電子源から放出された電子により、蛍光表示部を発光し、所望の文字図形の表示を行うための信号と、前記蛍光表示部に関連した他の発光手段に対する信号とを前記真空容器内に内装された表示用コントローラから出力するように制御すると共に、前記蛍光表示部に対する表示データの輝度と、前記他の発光手段に対する輝度がそれぞれ独立して制御できるようにすることを特徴とする蛍光表示装置の駆動方法。
【請求項８】
上記他の発光手段は発光ダイオードによって構成されていることを特徴とする請求項７に記載の蛍光表示装置の駆動方法。
【請求項９】
上記他の発光手段は上記蛍光表示部のバックライトとされていることを特徴とする請求項７、又は８に記載の蛍光表示装置の駆動方法。
【発明の詳細な説明】
【技術分野】
【０００１】
この発明は、蛍光表示装置に関わり、特に、蛍光表示部と他の発光手段による照明、又は表示機能を併用して、多彩な表示を行わせることができる蛍光表示装置、およびその駆動方法に関するものである。
【背景技術】
【０００２】
蛍光表示管は、少なくとも一方が透明な真空容器の中で、カソードから放出される電子を電圧が印加されている蛍光膜に衝突発光させて、所望のパターンを文字や図柄で表示する電子管であり、表示すべきパターンの形状は陽極上に塗布された蛍光体で形成するように構成されている。
【０００３】
一般的な蛍光表示装置は、ガラス基板と、ガラス基板上に設けられ陽極やグリッドを駆動するための配線層と、陽極上に所定のパターンで配置された蛍光膜と、蛍光膜と対向して配置されたカソードと、蛍光膜とカソードの間に設けられたグリッドと、透明なフロントガラスと前述したガラス基板及びそれらに挟まれた枠状の側壁から構成され気密封着された外囲器とで構成されており、外囲器内が所定の真空度に保たれるように封着されている。
【０００４】
蛍光表示部となる蛍光膜は表示すべき内容によって種種の形態をとり、簡単に英数字を表示する場合はセグメントを陽極として蛍光体をつけたセグメントタイプのものが使用される。
また、文字や図形を表示する場合はドットタイプ蛍光表示管や、グラフイックタイプの蛍光表示管が使用され、一般的にドットアノード電極に対して表示データを供給するダイナミック駆動によって種種の模様が表示される。
【０００５】
しかし、近年は蛍光表示技術の進歩により、さらに複雑なパターン表示機能が要請されており、カラー表示を可能にすると共に、蛍光表示装置で表示される内容に対応して各種の発光手段を同時に制御し、多彩な表示を演出するようにしたものがある。
例えば図６は多色表示ができる蛍光表示管の１例を示したもので、ガラス基板１０１の表面に複数の陽極１０４と、これに対応して配置された蛍光膜１０５が離間して配置され、その上方にグリッド１０６，及びカソード（フイラメント）１０７によって蛍光表示管が構成されている。なお、１０２は前面ガラス基板、１０３は側壁部である。
【０００６】
そして、ガラス基板１０１の背後にバックライト光源１０８が配置されるように構成され、バックライト光源１０８は例えば発光ダイオードによって構成されている。
この蛍光表示管のバックライト光源１０８は、赤色、緑、黄等の色光を出力する面発光光源であり、観察者１１７がガラス基板１０１面を観察したときに、ガラス基板１０１面上の蛍光膜１０５の光１１５と、蛍光膜１０５間に設けられた帯状陽極１０４の開口部１０４ａを透過してくるバックライト光源１０８の光１１６と、蛍光膜１０５の光１１５が混色して見えるように蛍光膜１０５の面積と輝度、光透過部の位置と面積及びバックライト光源１０８の輝度が決められている。
したがって、バックライト１０８の色によって各種の表示モードを作り出すことができ、多彩な表示モードを作ることができる。
【０００７】
また、図７は本出願人が先に提案した発光ダイオード(LED)を用いた表示装置の一部を示しており、他の発光源としてLEDが真空容器内に形成されている。
この蛍光表示装置１２０は、任意の文字・図形等をフルカラーで表示するグラフィック蛍光表示管であり、緑（Ｇ）と青（Ｂ）は蛍光体の発光で表示し、赤（Ｒ）は前記ＬＥＤ１００の発光で表示する。
【０００８】
蛍光表示装置１２０の外囲器は、透光性の前面基板１２１と、前面基板１２１と平行な図示しない背面基板と、前記両基板の外周部を封着する図示しない側面部とから成る。前面基板１２１の内面には多数の表示部１２２が構成されている。
表示部１２２は、前面基板１２１の内面に設けられた蛍光表示部１２３と、ＬＥＤ表示部１２４からなる。
ＬＥＤ表示部１２４では、前面基板１２１に設けられた多数の前記ＬＥＤ１００は表示面の列方向に沿って所定間隔をおいて並んでおり、図示はしないがＬＥＤ１００のこの列が所定間隔をおいて行方向に多数並んでいる
【０００９】
前面基板１２１の内面には、互いに直交するそれぞれ複数の行配線１２５と列配線１２６が配設されており、ＬＥＤ表示部１２４の駆動マトリクスが構成されている。両配線は透光性であり、連続した帯状の行配線１２５に対し、列配線１２６は行配線１２５と交差しないように破線状に形成されている。そして、各行配線１２５は各ＬＥＤ１００の各カソード電極に接続され、列配線１２６の各端部は各ＬＥＤ１００の各アノード電極に接続されている。
【００１０】
上記の構成において前記行配線１２５と列配線１２６を適宜のタイミングで駆動すれば、表示面のＬＥＤ表示エリアにおける所望のＬＥＤ１００を選択して赤色に発光させることができる。
なお、前記蛍光表示部１２３の上方には、行方向に平行なワイヤー状の制御電極１２７が所定の間隔で張設され、さらにその上方には図示されていないがフィラメント状の線状陰極が張設されている。なお、１３０は透明な絶縁層、１３１は陽極電極、１３２，１３３はフイルタ、１３４は蛍光体層を示している。
【００１１】
この蛍光表示管１２０は、まず制御電極及びコモン接続した各ＬＥＤ１００のカソード電極を、共通の走査信号制御部によって走査する。そして、蛍光表示部１２３の各陽極導体１３１及び各ＬＥＤ１００のアノード電極に、共通のデータ信号制御部から所定のタイミングで表示信号を与える。これによって、蛍光表示部１２３とＬＥＤ表示部１２４は同期して駆動され、所望の画像表示を行うことができる。
【００１２】
図８はバックライトにLEDを使用したものに対して蛍光表示装置の前面に導光板１４１を設け、蛍光表示装置の表示に対して深みのある演出が行われるようにしたものである。
表示部としてのＦＬ（蛍光表示部）１４２は、ＦＬ制御及び操作制御のための回路が形成されているプリント基板１４３に取り付けられ、数字や文字、画像などの情報を表示するとともに自ら発光するものである。具体的には例えば冷陰極蛍光管で構成され、時刻や「録音」、「再生」、「早送り」、「巻戻し」など動作モードの文字・画像情報を表示するものである。
【００１３】
この表示装置の場合は、前面パネル部の正面上部に形成された表示窓１４４に、導光板１４１の長方形部分が対応するように照明部が取付けられ、さらに照明部に重ねるようにＦＬ１４２が取付けられる。
厚さ４ｍｍから１ｍｍへと断面楔形状にした導光板１４１の左側端にＬＥＤ１４５が取付けられ、ホルダー１４６ａ，１４６ｂで導光板１４１に固定されて照明部を構成しているいる。
【００１４】
ＦＬ１４２の表示領域に表示された文字・画像の発光は、導光板１４１の透光率の高い領域を通り表示窓１４４から外部に出射するので外部から視認可能となる。
一方、ＬＥＤ１４２の光が前面に出力され装飾作用を奏する。つまり、ＦＬ自体の発光による表示に加えて、照明部において３色ＬＥＤ１４５を制御することにより７色以上の照明が可能となり、従来の液晶表示装置などとは異なるまったく新しい照明を伴った表示が可能となるのである。なお、液晶表示装置のバックライトとは違いＦＬ自体が発光するので、導光板自体の照明の輝度を変化させても表示機能自体には何ら問題はない。
【００１５】
【特許文献１】特開２００１−９３４５２号
【特許文献２】特開平７−６６４５７号
【特許文献３】特開２００２−８２６３４号
【発明の開示】
【発明が解決しようとする課題】
【００１６】
上記したように、従来の蛍光表示装置に対して他の発光手段、例えば、発光ダイオード等を蛍光表示管と同時に点灯表示できるようにすると、表示機能が変化に富んだものになり、例えば、車載用の蛍光表示装置に適応する場合は運転機能を向上させるような視認性を付加することができる。
また、蛍光管表示部に関連して車内の各種の操作情報や、車内の照明状態などをＬＥＤ等の発光で表示させると、多彩な表示機能と快適空間を実現する際に役立つことがある。
【００１７】
そこで、従来は車載のマイコン等から出力された表示データに基づいて、このような蛍光表示以外の他の発光手段である例えば、LEDなどの点灯制御を同時に行うようにすることが考えられている。
また、表示用コントローラから蛍光表示管で表示する文字データや、セグメント選択データを出力する共に、この蛍光表示管用のコントローラ回路から出力されるデータの一部を発光ダイオード（LED）駆動用信号として出力するものも考えられているが、この場合は、蛍光表示管の輝度調整（ディミング）を行うと、LEDの発光出力も同時に変化するという問題がある。
【課題を解決するための手段】
【００１８】
本発明はかかる問題点を簡単に解消するために、真空容器内に設けられた電子源と、該電子源から放出された電子により発光する蛍光表示と、該蛍光表示部で所定の表示を行うための信号を出力するための駆動制御回路（表示用コントローラ）を備えている蛍光表示装置において、
前記駆動制御回路は前記蛍光表示部に対する第１の表示データを所定のタイミングで出力すると共に、前記蛍光表示部と関連して照明又は表示する機能を有する他の発光手段に対する第２の表示データは、セレクタを介して選択的に出力されるように構成した。
【００１９】
他の発光手段としては発光ダイオード（LED）を使用すると共に、セレクタを介して出力されるLED等に対する表示データは、蛍光表示部に対して独立に輝度調整を行うようにすることもできる。
【００２０】
本発明の蛍光表示装置は表示駆動用の駆動制御回路、又はこの駆動制御回路の出力を供給するドライバ群が蛍光表示装置を構成している真空容器中に内包されたCIG (CHIP IN GLAＳＳ)タイプの蛍光表示装置に好適であり、他の発光手段に対するデータは上記真空容器の外部出力端子から得られるようにすることによって、蛍光表示部のバックライトと使用することができる。
【００２１】
また、本発明の蛍光管表示管の駆動方法は、真空容器内に設けられた電子源から放出された電子により、蛍光表示部を発光し、所望の文字図形の表示を行うための信号を出力するために、前記蛍光表示部に対する表示データと、前記蛍光表示部に関連した他の発光手段である、例えば、照明用の表示データの信号を１個のワンチップマイクロコンピュータから出力するようにプログラムすると共に、前記蛍光表示部に対する表示データの輝度と、前記照明用の他の発光手段の輝度が独立して制御できるようにしている。
【発明の効果】
【００２２】
本発明の蛍光表示装置とその駆動方法は、ワンチップの蛍光管表示ドライバを使用したときでも、蛍光表示装置の輝度に対して他の発光手段の輝度が影響されないようにすることができるので、より多彩な表示を行う蛍光表示装置を提供することができる。
【発明を実施するための最良の形態】
【００２３】
図１は本発明の蛍光表示装置のドライブ部分の具体例を示したものである。
この図において、１０は蛍光表示装置を駆動するための駆動制御回路（以下、表示用コントローラという）であり、通常は外部から供給されたコマンド信号に基づいて、蛍光表示管を発光させるための表示データを駆動信号として所定のタイミングで出力するデジタル演算処理、及び記憶部、及び信号処理部等を集積したマイクロコンピュータによって構成されている。
【００２４】
この表示用コントローラ１０からは蛍光表示装置の表示駆動方式に応じて種種の信号が出力されるが、一般的にはダイナミック駆動方式がとられるため、蛍光管の表示位置を指定するスキャンニング信号（グリッド選択信号）、蛍光管の複数個の発光アノード（セグメント）に対する発光データを出力するシリアルデータ信号、シリアルデータをパラレルデータに変換するためのラッチ信号LAT、発光セグメントの表示周期を設定するブランキング信号ＢＫが主な信号ととして出力されている。
また、本実施例では表示データの一部がLED駆動信号として出力されるために、この発光モードを指定するポート切換信号が出力されるようになされている。  
【００２５】
１１は表示のためのデータがシリアルデータとして順次供給されるシフトレジスタであり、このシフトレジスタ１１の各段にクロック信号ＣＬＫのタイミング供給されたデータは、パラレル信号として出力するために、所定の周期毎にラッチ信号LATのタイミングで次のラッチ回路１２に一旦保持される。 
１３は表示のためのデータを蛍光表示部や、他の発光手段に供給するためのドライバ段であり、発光点の個数に対応した論理積回路で構成されたゲート回路A1〜Aｎ及び、バッファアンプＢ・・・・Ｂによって構成されている。なお、各バッファアンプＢは論理レベルを表示駆動電圧レベルに変換して出力する。
【００２６】
ラッチ回路１２に保持された表示データは、一方の入力がブランキング信号ＢＫとなっているゲート回路A（１，２，３，・・・ｎ）を介して、表示部に供給される。
本実施例は後で述べるように、ゲート回路A1〜Akから出力される表示データは蛍光表示部１４に対応する第１の表示データとされ、ゲート回路Ak＋１〜Anから出力されるデータは、他の発光源、例えば発光ダイオード用に出力される第２の表示データとなるように構成されている。
なお、蛍光表示部１４には通常、表示内容をスキャンするためのに、グリッド選択信号がグリッドドライバ１５を介して供給され、ダイナミック駆動となるように制御されている。
【００２７】
ところで、本実施例では、ゲート回路Aｋ＋１〜Anから出力された第２の表示データは、一点鎖線で囲ったセレクタ１６を介してバッファアンプＢに供給される点に特徴がある。
すなわち、セレクタ１６はラッチ回路１２から出力されたブランキング制御が行われていない第２の表示データと、ゲート回路A（ｋ＋１〜ｎ）でブランキング制御されている第２の表示データを論理積回路１６ａ、及び１６ｂの一方の入力となるように形成し、他方の入力には論理レベル（Ｈ、Ｌ）で出力されるポート切換信号を一方の論理積回路にはインバータINを介して供給することによって、論理和回路１６ｃから、ブランキングをかけた表示データと、ブランキングがかっていない表示データが選択的に出力できるようにしている。
【００２８】
そして、このセレクタ１６を介して出力された第２の表示データは、発光手段がLEDとなっている場合は、バッファアンプＢを介してドライブ用のトランジスタ１７ー１．１７−２，・・・のベース電極に供給され、発光素子１８−１．１８ー２，・・・・・を駆動するように構成されている。
【００２９】
図２は表示データが駆動信号として出力されるタイミングを示したものである。
この図においてＧＳは表示部のスキャン周期を示すグリッドスキャン信号の周期Ｔ、Ｔnはグリッドスキャン周期Ｔｘを拡大した期間を示し、この周期内のシリアルデータSIと、クロック信号ＣＬＫ、シリアルデータSIをラッチ回路１２に取り込むラッチ信号LAT、及び次の周期に移行するタイミングを作るブランキング信号ＢＫが示されている。
先に述べたようにスキャン周期（Ｔ）内でラッチされた表示データは、ブランキング信号ＢＫを一方の入力とするゲート回路A1〜Anを介して出力されるため、ドライブ用のバッファアンプＢから出力される駆動信号はドライブ出力１とされている期間となる。
【００３０】
従って、ドライブ出力１の輝度は、常にブランキング信号ＢＫのパルス幅ｔｐによって制限され、図のようにブランキング信号ＢＫのパルス幅を矢印で示すように広くしてディミングを掛けると、ドライブ出力１はドライバ出力２で示すように短時間の出力幅となるように制限されることになり、ブランキング幅を変えることによってディミング調整を行うことができる。
そして、従来はこのディミング調整によって外部端子に出力されるＬＥＤの発光輝度も同時に影響を受け、表示機能が損なわれていた。
【００３１】
しかし、本実施例の場合はＬＥＤに供給される第２の表示データは、セレクタ１６を介して外部端子１６−１、１６−２・・・に出力されるようにしているので、例えば、図１の実施例においてポート切換信号のレベルをゼロ（Ｌレベル）にすると、セレクタ１６から出力される第２の表示データは、論理積回路１６ｂを介して出力された信号になり、ラッチ回路１２からブランキング信号ＢＫの影響を受けていない信号を直接、他の発光手段となるＬＥＤ駆動用の第２の表示データ（ドライバ出力３）として得ることができる。
本実施例でスイッチＳＷを設けておくと、ポート切換信号を予め「Ｈ」または「Ｌ」となるようにすることができる。
すなわち、このスイッチＳＷをプリント配線板におけるジャンパー線で構成するようにすれば、蛍光表示装置の機種毎に、他の発光手段に対する表示データに対して、ディミングの影響の有無を予め選択させることができる。
【００３２】
図３は本発明の他の実用例を示したもので、図１と同一機能は同一の符号とされている。
すなわち、１０は蛍光表示装置を駆動するための表示用コントローラであり、蛍光管を発光させるための表示データを駆動信号として所定のタイミングで出力するデジタル演算処理、及び記憶部等を集積したマイクロコンピュータによって構成されている。
【００３３】
表示用コントローラ１０からはダイナミック駆動方式とするため、蛍光管の表示位置を指定するスキャンニング信号（グリッド選択信号）、蛍光管の複数個の発光アノード（セグメント）に対する発光データを出力するシリアルデータ信号、シリアルデータをパラレルデータに変換するためのラッチ信号LAT、発光セグメントの表示周期を設定するブランキング信号ＢＫが主な信号として出力されている。
本例でも表示データの一部がLED駆動信号として出力されるように、発光ポートを指定するポート切換信号が出力されるようになされているが、さらに、外部の発光手段に対する輝度調整行うことができる外部ＢＫ信号が表示コントローラ１０から出力されるようにしている。  
【００３４】
１１はシフトレジスタであり、１２はシフトレジスタ１１の各段のデータを１スキャン毎にラッチ信号LATのタイミングでとりこむラッチ回路１２である。 
１３はゲート回路A1〜Aｎ及び、バッファアンプＢ・・・・Ｂによって構成されているドライバ段であり、各バッファアンプＢは論理レベルを表示駆動電圧レベルに変換して出力する。
【００３５】
ラッチ回路１２に保持された表示データは、一方の入力がブランキング信号ＢＫとなっているゲート回路A（１，２，３，・・・ｎ）を介して、表示部に供給される。
そして、ゲート回路A1〜Akから出力される第１の表示データは蛍光表示部１４に対応するものとされ、ゲート回路Ak＋１〜Anから出力されるデータは他の発光源、例えば発光ダイオード用に出力する第２の表示データとして外部出力端子（１６−１、１６−２，・・・１６−ｋ）に供給される。
蛍光表示部１４には、表示内容をスキャンするためのに、グリッド選択信号がグリッドドライバ１５を介して供給される,ダイナミック駆動となるように制御されている。
【００３６】
本実施例でも、ゲート回路Ak＋１〜Anから出力された第２の表示データは、一点鎖線で囲ったセレクタ１６を介してバッファアンプＢに供給されるが、このセレクタ１６には、ラッチ回路１２の出力データと外部ＢＫ信号の論理積をとったゲート回路Abkを介して供給されるものが第２の表示データとして供給されている。
すなわち、セレクタ１６にはゲート回路Ak＋１〜Anから出力された通常のブランキング制御が行われている表示データと、ゲート回路Aｂｋで外部ブランキング制御されている表示データを論理積回路１６ａ、及び１６ｂの一方の入力となるように形成し、他方の入力にポート切換信号を供給することによって論理和回路１６ｃから、通常のブランキングをかけた第２の表示データと、外部ブランキングで調整される第２の表示データが選択できるようにしている。
【００３７】
従って、この図３に示す実施の形態では、図４に示すようにシリアルデータSI、クロック信号CLK、蛍光表示部のブランキング信号ＢＫに対して、さらに外部ブランキング信号BKLEDが供給される。
そして、ブランキング信号ＢＫによってブランキングタイムを調整した蛍光表示部１４の第１の表示データと同じディミング調整を行った第２の表示データである外部ドライブ出力３と、ラッチされた第２の表示データに対して外部ブランキング信号BKLEDの期間だけ出力を停止して、ＬＥＤ等の発光手段に対して独立に輝度調整を行った外部ドライブ出力４を選択して出力することができる。
この場合、外部ブランキング信号BKLEDのパルス幅をゼロにすると、ラッチ回路１２に保持されている第２の表示データがディミング制御されないまま出力（図２のドライブ出力３）される。
【００３８】
図５は本発明の蛍光表示装置の駆動方式を適応した装置の具体例を示したものでる。
この図に示されているように、本例では扁平なガラス容器内に先に述べた表示コントローラ１０や、ドライブ段１３のチップ２４等が内封されているCIG（チップインガラス）方式の蛍光表示管２０(CIGVFD)であり、内部には走査電極となるグリッド２１と、マトリックス状に配置され、数列、数行からなるドット形状の蛍光電極部２２、フイラメント２３等が形成されている。
【００３９】
真空容器の側壁からは表示駆動のための複数個の電源端子ｐ、ｐ、入力信号端子Ｔｉｎがリード端子によって形成されており、先に述べたように蛍光表示部と異なる発光手段としてＬＥＤを駆動するための外部リード端子Ｔoutも真空容器の側壁のリード端子から得られるようにされている。
したがって、このCIG方式の蛍光表示管を車載用のフロントボードに実装すれば、このボードに付設されている表示用のＬＥＤ等の発光源も表示コントローラに入力されたコマンド信号によって同時に制御することができるようになる。
【００４０】
また、その場合に蛍光表示部の輝度調整に影響されることなくＬＥＤの点灯制御が行われるので、先に従来技術として示したような蛍光表示に関連するバックライト用のＬＥＤや、車載用の他の機能表示に使用されるＬＥＤ等に対して、独立してディミング調整を行うことができる。
また、配線板にこのような蛍光表示管を取り付けたモジュールタイプの蛍光表示装置に対しても、本発明の駆動方法を適応すれば、１個の表示コントローラによって蛍光管表示と、ＬＥＤ表示とを独立した輝度でコントロールすることができるようになる。  
【産業上の利用可能性】
【００４１】
蛍光表示管と他の発光手段を共同して駆動し、多彩な表示機能を実現する際に有用である。
【図面の簡単な説明】
【００４２】
【図１】第１の実施の形態を示すブロック線図である。
【図２】表示コントローラの各種の信号のタイミング波形図である。
【図３】図１の別の実施例を示すブロック線図である。
【図４】図３の表示コントローラにおける信号のタイミング波形図である。
【図５】蛍光表示管の一例を外観の斜視図である。
【図６】従来の蛍光表示管の断面図である。
【図７】バックライト光源を有する蛍光表示装置の説明図である。
【図８】前面照明型の蛍光表示装置の一例を示す断面図である。
【符号の説明】
【００４３】
１０表示用コントローラ  １１シフトレジスタ  １２ラッチ回路  １３ドライバ段  １４蛍光表示部  １５グリッドドライバ  １６セレクタ  A1〜AKゲート回路
【図１】
2008009050.tif 000003
【図２】
2008009050.tif 000004
【図３】
2008009050.tif 000005
【図４】
2008009050.tif 000006
【図５】
2008009050.tif 000007
【図６】
2008009050.tif 000008
【図７】
2008009050.tif 000009
【図８】
2008009050.tif 000010